(57)【要約】【課題】  個体識別（ロット）番号をレシートあるいはラベルに印字させることができると共に、ワンタッチキーにも個体識別（ロット）番号も表示すること。【解決手段】  表示部２４ａと、商品番号、商品名等の商品情報を記憶する商品情報記憶手段１３ａと、前記商品情報記憶手段に記憶されている商品の商品情報をワンタッチで前記表示部に呼び出すための前記表示部に設けられたワンタッチキー４１と、ワンタッチキーに対する商品番号、キー表示名称、個体識別（ロット）番号等を記憶するワンタッチキー記憶手段１３ｂと、レシートまたはラベル発行時に、前記ワンタッチキーに対応する個体識別（ロット）番号を前記ワンタッチキー記憶手段から呼び出すとともに、前記ワンタッチキーで指定された商品情報を前記商品情報記憶手段から読み出してレシートまたはラベル上に商品情報及び個体識別（ロット）番号と共に印字する印字手段（Ｓ２０，Ｓ２１）とを具備した。【選択図】      図１
2006309394.tif 000002
【特許請求の範囲】
【請求項１】
表示部と、
商品番号、商品名等の商品情報を記憶する商品情報記憶手段と、
前記商品情報記憶手段に記憶されている商品の商品情報をワンタッチで前記表示部に呼び出すための前記表示部に設けられたワンタッチキーと、
ワンタッチキーに対する商品番号、キー表示名称、個体識別（ロット）番号等を記憶するワンタッチキー記憶手段と、
レシートまたはラベル発行時に、前記ワンタッチキーに対応する個体識別（ロット）番号を前記ワンタッチキー記憶手段から呼び出すとともに、前記ワンタッチキーで指定された商品情報を前記商品情報記憶手段から読み出してレシートまたはラベル上に商品情報及び個体識別（ロット）番号と共に印字する印字手段とを具備したことを特徴とする商品登録装置。
【請求項２】
前記表示部に表示されるワンタッチキーに前記ワンタッチキー記憶手段に記憶されているキー表示名称及び個体識別（ロット）番号を表示させる表示手段を具備したことを特徴とする請求項１記載の商品登録装置。
【発明の詳細な説明】
【技術分野】
【０００１】
本発明は、個体識別番号あるいはロット番号をレシートまたはラベル等に印字することができる商品登録装置に関する。
【背景技術】
【０００２】
牛や豚等の家畜のトレイサビリティ（tracability）を確保するために、例えば牛１頭毎に固有の番号である個体識別番号が付されている。また、複数の牛を一度に仕入れた場合には、複数の牛に対して同じロット番号が付与される。
【０００３】
従来の商品登録装置において、個体識別（ロット）番号の表示を確認したり、商品に個体識別番号を割り付ける割付け方法は、以下に述べるような２つの方法があった。
【０００４】
第１に個体識別（ロット）番号が記載されているバーコードをスキャナで読み取ることにより、その商品に対して個体識別（ロット）番号を割り付けている。また、スキャナで読み取られた個体識別（ロット）番号は、商品登録装置の表示部に表示されて、オペレータによりその値が確認されていた。
【０００５】
第２に、以前登録してレシート等を発行している商品の場合は、個体識別（ロット）番号の履歴画面を表示部に表示させて、その中から個体識別番号をオペレータが選択していた。
【発明の開示】
【発明が解決しようとする課題】
【０００６】
商品を登録する作業が一日で終了しなかった場合に、その商品を保存場所に保存しておき、翌日にその商品を保存場所から取り出して商品を登録する作業を行なっていた。この際に、保存場所から取り出した商品の個体識別（ロット）番号がワンタッチキーに登録されている商品の個体識別（ロット）番号と一致するかを確認する必要がある。
【０００７】
商品を登録する場合に、商品に対する商品情報をワンタッチキーを操作することにより、商品情報を個体識別（ロット番号）と共に表示部に表示させるようにしていが、ワンタッチキーを操作する前、つまり商品を登録する前には、ワンタッチキーには商品名が表示されているのみであるので、その商品の個体識別（ロット）番号が何番であるかは確認することはできなかった。このため、商品の登録作業の利便性の向上を図ることはできなかった。
【０００８】
また、従来の商品登録装置では、発行されたレシートやラベルには個体識別（ロット番号）が印字されていなかったので、商品と個体識別（ロット）番号との対応関係を確認することができなかった。
【０００９】
本発明は上記の点に鑑みてなされたもので、その目的は、個体識別（ロット）番号をレシートあるいはラベルに印字させることができると共に、ワンタッチキーにも個体識別（ロット）番号も表示するようにした商品登録装置を提供することにある。
【課題を解決するための手段】
【００１０】
本発明は、表示部と、商品番号、商品名等の商品情報を記憶する商品情報記憶手段と、前記商品情報記憶手段に記憶されている商品の商品情報をワンタッチで前記表示部に呼び出すための前記表示部に設けられたワンタッチキーと、ワンタッチキーに対する商品番号、キー表示名称、個体識別（ロット）番号等を記憶するワンタッチキー記憶手段と、レシートまたはラベル発行時に、前記ワンタッチキーに対応する個体識別（ロット）番号を前記ワンタッチキー記憶手段から呼び出すとともに、前記ワンタッチキーで指定された商品情報を前記商品情報記憶手段から読み出してレシートまたはラベル上に商品情報及び個体識別（ロット）番号と共に印字する印字手段とを具備したことを特徴とする。
【発明の効果】
【００１１】
以上詳述したように本発明によれば、個体識別（ロット）番号をレシートあるいはラベルに印字するようにしたので、商品と個体識別（ロット）番号との対応関係を視認することができる。
【００１２】
さらに、商品の個体識別（ロット）番号をワンタッチキーに表示させるようにしたので、商品を登録する前に個体識別（ロット）番号を確認でき、商品の登録作業の利便性の向上させることができる。
【発明を実施するための最良の形態】
【００１３】
以下、図面を参照して本発明の一実施の形態について説明する。まず、図１を参照して商品登録装置であるラベル発行機のシステム構成について説明する。図１において、１１は本装置を統括して制御するためのＣＰＵ（中央処理装置）である。このＣＰＵ１１からのシステムバス１１ａには、図３及び図４のフローチャートで示したような制御を行なうプログラムの他各種制御プログラムが記憶されているフラッシュＲＯＭ（リード・オンリ・メモリ）１２、商品番号、商品名、商品価格等の商品情報を記憶する商品情報記憶手段としてのＰＬＵファイル１３ａ、図２に示すようなワンタッチキーの設定データを記憶するワンタッチキー記憶手段としてのワンタッチキーファイル１３ｂが記憶されるＲＡＭ（ランダム・アクセス・メモリ）１３、ロードセルユニット１４からの重量データを取り込む秤インタフェース１５、上位からの各種設定データ、本ラベル発行機からの生産実績データ等の送受信を行うイーサネット（登録商標）（Ethernet（登録商標））インターフェイス１６、スキャナー１７との通信を行なうシリアルインターフェース１８、商品登録時の単価変更操作や各種設定操作を行うキーボード１９、タッチパネル２０からの入力データを取り込むキーコントコーラ２１、商品呼び出し画面でのワンタッチキー等の表示を行なうＬＣＤ２２及びＬＥＤ２３の表示制御を行なう表示コントローラ２４、ラベルあるいはレシートを発行するプリンタユニット２５を制御するプリンタエンジン２６、透過、反射、温度等の各種センサ２７とデータの受け渡しを行なうＩ／Ｏポート２８が接続されている。なお、タッチパネル２０とＬＣＤ２２とにより表示部２４ａが構成される。
【００１４】
次に、図７を参照してラベル発行機の外観について説明する。図７において、図１と同一部分には同一番号を付し、その詳細な説明については省略する。図７において、ラベル発行機の筐体３１の上面には、ロードセルユニット１４が設けられている。また、ラベル発行機の前面に設けられた表示部２４ａの側面には、ラベルが排出されるラベル発行口３２が設けられている。
【００１５】
次に、図２を参照してワンタッチキーファイル１３ｂの構成について説明する。図２において、ワンタッチキーファイル１３ｂには、ワンタッチキーの識別番号であるキーＮＯ、このキーＮＯに対する割付コード、キー表示名称、個体識別（ロット）番号、キー種別、キーサイズ、キー色、キーに表示される文字のドット数を示す文字サイズ、キーに表示される文字の色を示す文字が記憶されている。なお、キー種別に「ＰＬＵ」が設定されている場合には、割付コードとしてＰＬＵファイルの品番が記憶される。
【００１６】
次に、上記のように構成された本発明の一実施の形態の動作について説明する。例えば、「牛ロース」のワンタッチキーに個体識別（ロット）番号を割付る場合を一例にとって説明する。まず、タッチパネル２０を操作して商品登録モードを設定すると、図４のフローチャートの処理が開始される。そして、商品登録画面を表示部２４ａに表示させる処理がなされる（ステップＳ１１）。
【００１７】
この表示処理において、表示コントローラ２４は図２のワンタッチキーファイル１３ｂを参照してワンタッチキーを表示部２４ａに表示させている。つまり、ワンタッチキーに表示される名称、そのキーの大きさ、色、文字サイズ、文字色は、それぞれワンタッチキーファィルに記憶されている「キー表示名称」、「キーサイズ」、「キー色」、「文字サイズ」、「文字色」に基づいて表示制御される。図２のワンタッチキーファイル１３ｂでは、「牛ロース」に対する個体識別（ロット）番号はまだ割付られていないため、ワンタッチキー「牛ロース」４１には個体識別（ロット）番号は表示されていない。なお、他のワンタッチキー「牛肩肉」４２、…についてはすでにワンタッチキーファイルに個体識別（ロット）番号が記憶されているため、個体識別（ロット）番号「9876543210」が表示される。
【００１８】
ここで、図３のフローチャートを参照して、ワンタッチキー「牛ロース」４１に対して個体識別（ロット）番号を割付ける処理について説明する。
【００１９】
まず、個体識別（ロット）番号を割付けるワンタッチキー「牛ロース」４１を押し下げする。すると、図３のフローチャートに示す処理が開始される。まず、商品「牛ロース」に張られている個体識別（ロット）番号が印字されたバーコードをスキャナー１７でスキャンする（ステップＳ１）。このようにして、スキャナー１７でスキャンされた個体識別（ロット）番号は、表示部２４ａの個体識別（ロット）番号表示エリア４３に表示される（ステップＳ２）。この例では、「牛ロース」の固定識別（ロット）番号として「1234567895」が表示エリア４３に表示される。
【００２０】
次に、表示エリア４３に表示されている個体識別（ロット）番号をワンタッチキーファイル１３ｂに記憶させる「固体記憶」キー４４が押下されたかが判定される（ステップＳ３）。このステップＳ３の判定で「ＹＥＳ」と判定された場合には、表示エリア４３に表示されている個体識別（ロット）番号は、ワンタッチキーファイル１３ｂの「個体識別（ロット）番号」欄に書き込まれる（ステップＳ４）。このようにして、ワンタッチキーファイル１３ｂに個体識別（ロット）番号を割り付けた後は、前述した表示コントローラ２４によりワンタッチキー４１の下側に個体識別（ロット）番号「1234567895」が表示される。
【００２１】
このように、商品の個体識別（ロット）番号をワンタッチキーに表示させるようにしたので、商品を登録する前に個体識別（ロット）番号を確認でき、商品の登録作業の利便性の向上させることができる。
【００２２】
次に、ワンタッチキーに割付けた個体識別（ロット）番号をラベルに印字する処理について図４のフローチャートを参照して説明する。「牛ロース」のラベルを発行する場合を一例にとって説明する。まず、タッチパネル２０を操作して商品登録モードを設定すると、図４のフローチャートの処理が開始される。そして、商品登録画面を表示部２４ａに表示させる処理がなされる（ステップＳ１１）。このステップＳ１１の処理は前述したとおりである。しかし、前述したときには、まだワンタッチキー「牛ロース」４１には個体識別（ロット）番号は割付られていなかったため、ワンタッチキー「牛ロース」４１の下部には個体識別（ロット）番号は表示されていなかったが、今回は図５では図示されていないが、ワンタッチキー「牛ロース」４１の下部に個体識別（ロット）番号は表示されているものとする。
【００２３】
そして、商品を呼び出すワンタッチキー「牛ロース」４１を押し下げる（ステップＳ１２）。
【００２４】
次に、ワンタッチキーファイル１３ｂのワンタッチキー「牛ロース」４１に対するキー種別が「ＰＬＵ」であるかが判定される（ステップＳ１３）。このステップＳ１３の判定で「ＹＥＳ」と判定された場合には、ワンタッチキーファイル１３ｂのワンタッチキー「牛ロース」４１に対する「割付コード」欄に記憶されている品番をキーにしてＰＬＵファイルを検索して、「牛ロース」の商品情報が表示部２４ａに表示される（ステップＳ１４）。
【００２５】
そして、商品情報の呼び出しが正常に行なわれたかが判定される（ステップＳ１５）。
【００２６】
このステップＳ１５で「ＹＥＳ」と判定された場合には、ワンタッチキーに個体識別（ロット）番号が割付られているかが判定される（ステップＳ１６）。つまり、ワンタッチキーファィル１３ｂにおいて、「牛ロース」に対して個体識別（ロット）番号が設定されているかが判定される。この場合、「牛ロース」に対する個体識別（ロット）番号は前述したように設定されているため、このステップＳ１６の判定で「ＹＥＳ」と判定される。
【００２７】
そして、ワンタッチキーファイル１３ｂに設定されている牛ロースの個体識別（ロット）番号「1234567895」が表示エリア４３に表示される（ステップＳ１７）。
【００２８】
そして、その個体識別番号「1234567895」は、ＲＡＭ１３の作業エリアに記憶される（ステップＳ１８）。
【００２９】
そして、ラベル発行キー４５が押下げられて商品登録されたかが判定される（ステップＳ１９）。この判定で「ＹＥＳ」と判定された場合には、ステップＳ１８の処理で作業エリアに記憶されている個体識別（ロット）番号及びＰＬＵファイル１３ａの商品情報は印字のために編集処理される（ステップＳ２０）。
【００３０】
そして、このように編集された印字データはプリンタエンジン２６に送られ、プリンタユニット２５から図６に示すようなラベルが発行される（ステップＳ２１）。
【００３１】
このように、個体識別（ロット）番号をラベルに印字するようにしたので、商品と個体識別（ロット）番号との対応関係を視認することができる。
【００３２】
次に、各種メモリの加算処理が行なわれる（ステップＳ２２）。
【００３３】
なお、ステップＳ１３において「ＮＯ」と判定された場合には、その他の処理が行なわれる（ステップＳ２３）。
【００３４】
さらに、ステップＳ１５で「ＮＯ」と判定された場合には、エラー表示がされ（ステップＳ２４）、エラーが解除される（ステップＳ２５）。
【００３５】
また、ステップＳ１６の判定で「ＮＯ」と判定された場合には、ステップＳ１７，Ｓ１８の処理はスキップされる。
【００３６】
また、ステップＳ１９の判定で「ＮＯ」と判定された場合には、ステップＳ２０〜２２の処理はスキップされる。
【００３７】
なお、上記した実施の形態では、商品「牛ロース」に貼られている個体識別（ロット）番号が印字されたバーコードをスキャナー１７でスキャンするようにしたが、スキャナー１７でスキャンしなくても良い。例えば、「固体入力」ボタン４６を押下げすることにより、割付画面（図示しない）を表示され、この割付画面からテンキーを操作することにより、個体識別（ロット）番号を入力させるようにしても良い。
【００３８】
さらに、テンキー部４７から品番を入力して表示部２４ａに商品登録画面を表示させた後、個体識別（ロット）番号をテンキー部４７から入力した後、「固体記憶」キー４４を操作することにより、入力した固体記憶（ロット）番号をワンタッチキーファイル１３ｂに記憶させるようにしても良い。
【００３９】
また、上記実施の形態では、ラベルを発行するラベル発行機について説明したが、本発明はレシートを発行する商品登録装置にも適用することができる。
【図面の簡単な説明】
【００４０】
【図１】本発明の一実施の形態に係る商品登録装置のシステム構成を示すブロック図。
【図２】同実施の形態に係るワンタッチキーファイルの構成を示す図。
【図３】同実施の形態に係るワンタッチキーに個体識別（ロット）番号を割り付ける処理を説明するためのフローチャート。
【図４】同実施の形態の動作を説明するためのフローチャート。
【図５】同実施の形態に係る登録画面を示す図。
【図６】同実施の形態に係るラベルの印字例を示す図。
【図７】同実施の形態に係る商品登録装置の外観図。
【符号の説明】
【００４１】
１１…ＣＰＵ、１２…フラッシュＲＯＭ、１３…ＲＡＭ、１３ａ…ＰＬＵファイル、１３ｂ…ワンタッチキーファイル、１４…ロードセルユニット、１７…スキャナ、２１…キーコントローラ、２４…表示コントローラ、２６…プリンタエンジン。
【図１】
2006309394.tif 000003
【図２】
2006309394.tif 000004
【図３】
2006309394.tif 000005
【図４】
2006309394.tif 000006
【図５】
2006309394.tif 000007
【図６】
2006309394.tif 000008
【図７】
2006309394.tif 000009
【手続補正書】
【提出日】平成17年5月12日(2005.5.12)
【手続補正１】
【補正対象書類名】明細書
【補正対象項目名】０００２
【補正方法】変更
【補正の内容】
【０００２】
牛や豚等の家畜のトレイサビリティ（traceability）を確保するために、例えば牛１頭毎に固有の番号である個体識別番号が付されている。また、複数の牛を一度に仕入れた場合には、複数の牛に対して同じロット番号が付与される。
【手続補正２】
【補正対象書類名】明細書
【補正対象項目名】０００７
【補正方法】変更
【補正の内容】
【０００７】
商品を登録する場合に、商品に対する商品情報をワンタッチキーを操作することにより、商品情報を個体識別（ロット番号）と共に表示部に表示させるようにしているが、ワンタッチキーを操作する前、つまり商品を登録する前には、ワンタッチキーには商品名が表示されているのみであるので、その商品の個体識別（ロット）番号が何番であるかは確認することはできなかった。このため、商品の登録作業の利便性の向上を図ることはできなかった。
【手続補正３】
【補正対象書類名】明細書
【補正対象項目名】００１６
【補正方法】変更
【補正の内容】
【００１６】
次に、上記のように構成された本発明の一実施の形態の動作について説明する。例えば、「牛ロース」のワンタッチキーに個体識別（ロット）番号を割付る場合を一例にとって説明する。まず、タッチパネル２０を操作して商品登録モードを選択すると、図４のフローチャートの処理が開始される。そして、商品登録画面を表示部２４ａに表示させる処理がなされる（ステップＳ１１）。
【手続補正４】
【補正対象書類名】明細書
【補正対象項目名】００１９
【補正方法】変更
【補正の内容】
【００１９】
まず、個体識別（ロット）番号を割付けるワンタッチキー「牛ロース」４１を押し下げする。すると、図３のフローチャートに示す処理が開始される。まず、商品「牛ロース」に貼られている個体識別（ロット）番号が印字されたバーコードをスキャナー１７でスキャンする（ステップＳ１）。このようにして、スキャナー１７でスキャンされた個体識別（ロット）番号は、表示部２４ａの個体識別（ロット）番号表示エリア４３に表示される（ステップＳ２）。この例では、「牛ロース」の個体識別（ロット）番号として「1234567895」が表示エリア４３に表示される。
【手続補正５】
【補正対象書類名】明細書
【補正対象項目名】００２０
【補正方法】変更
【補正の内容】
【００２０】
次に、表示エリア４３に表示されている個体識別（ロット）番号をワンタッチキーファイル１３ｂに記憶させる「個体記憶」キー４４が押下されたかが判定される（ステップＳ３）。このステップＳ３の判定で「ＹＥＳ」と判定された場合には、表示エリア４３に表示されている個体識別（ロット）番号は、ワンタッチキーファイル１３ｂの「個体識別（ロット）番号」欄に書き込まれる（ステップＳ４）。このようにして、ワンタッチキーファイル１３ｂに個体識別（ロット）番号を割り付けた後は、前述した表示コントローラ２４によりワンタッチキー４１の下側に個体識別（ロット）番号「1234567895」が表示される。
【手続補正６】
【補正対象書類名】明細書
【補正対象項目名】００２２
【補正方法】変更
【補正の内容】
【００２２】
次に、ワンタッチキーに割付けた個体識別（ロット）番号をラベルに印字する処理について図４のフローチャートを参照して説明する。「牛ロース」のラベルを発行する場合を一例にとって説明する。まず、タッチパネル２０を操作して商品登録モードを選択すると、図４のフローチャートの処理が開始される。そして、商品登録画面を表示部２４ａに表示させる処理がなされる（ステップＳ１１）。このステップＳ１１の処理は前述したとおりである。しかし、前述したときには、まだワンタッチキー「牛ロース」４１には個体識別（ロット）番号は割付られていなかったため、ワンタッチキー「牛ロース」４１の下部には個体識別（ロット）番号は表示されていなかったが、今回は図５では図示されていないが、ワンタッチキー「牛ロース」４１の下部に個体識別（ロット）番号は表示されているものとする。
【手続補正７】
【補正対象書類名】明細書
【補正対象項目名】００３４
【補正方法】変更
【補正の内容】
【００３４】
さらに、ステップＳ１５で「ＮＯ」と判定された場合には、エラー表示がされ（ステップＳ２４）、オペレータがエラーを解除する（ステップＳ２５）。
【手続補正８】
【補正対象書類名】明細書
【補正対象項目名】００３７
【補正方法】変更
【補正の内容】
【００３７】
なお、上記した実施の形態では、商品「牛ロース」に貼られている個体識別（ロット）番号が印字されたバーコードをスキャナー１７でスキャンするようにしたが、スキャナー１７でスキャンしなくても良い。例えば、「個体入力」ボタン４６を押下げすることにより、割付画面（図示しない）を表示され、この割付画面からテンキーを操作することにより、個体識別（ロット）番号を入力させるようにしても良い。
【手続補正９】
【補正対象書類名】明細書
【補正対象項目名】００３８
【補正方法】変更
【補正の内容】
【００３８】
さらに、テンキー部４７から品番を入力して表示部２４ａに商品登録画面を表示させた後、個体識別（ロット）番号をテンキー部４７から入力した後、「個体記憶」キー４４を操作することにより、入力した個体記憶（ロット）番号をワンタッチキーファイル１３ｂに記憶させるようにしても良い。